(57)【要約】【課題】  レーザーダイオードのレーザー出力を制御するために使用されるモニター信号を得ることが出来る簡単な構成の光ピックアップ装置を提供する。【解決手段】  レーザーダイオード１から放射されるレーザー光を光ディスクＤに設けられている信号記録層Ｌに集光させる対物レンズ７と、前記信号記録層Ｌから反射される戻り光が照射されるとともにフォーカスエラー信号等の制御信号を生成する制御信号用受光部が設けられている光検出器８を備え、前記光検出器８内にレーザーダイオード１から放射されるレーザー光の出力を制御するために使用されるモニター信号を生成するモニター信号用受光部１０を設ける。【選択図】  図１
2012252737.tif 000002
【特許請求の範囲】
【請求項１】
レーザーダイオードから放射されるレーザー光を光ディスクに設けられている信号記録層に集光させる対物レンズと、前記信号記録層から反射される戻り光が照射されるとともにフォーカスエラー信号等の制御信号を生成する制御信号用受光部が設けられている光検出器を備えた光ピックアップ装置であり、前記光検出器内にレーザーダイオードから放射されるレーザー光の出力を制御するために使用されるモニター信号を生成するモニター信号用受光部を設けたことを特徴とする光ピックアップ装置。
【請求項２】
モニター信号用受光部を戻り光が照射されない位置に配置したことを特徴とする請求項１に記載の光ピックアップ装置。
【請求項３】
レーザーダイオードから放射されるレーザー光を光ディスクに設けられている複数の信号記録層に集光させる対物レンズと、前記信号記録層から反射される戻り光が照射されるとともにフォーカスエラー信号等の制御信号を生成する制御信号用受光部が設けられている光検出器を備えた光ピックアップ装置であり、前記光検出器内にレーザーダイオードから放射されるレーザー光の出力を制御するために使用されるモニター信号を生成するモニター信号用受光部を設けたことを特徴とする光ピックアップ装置。
【請求項４】
モニター信号用受光部を戻り光に含まれる迷光が照射されない位置に配置したことを特徴とする請求項３に記載の光ピックアップ装置。
【請求項５】
レーザーダイオードから放射されるレーザー光が入射される位置に対物レンズ方向へレーザー光を導き、且つ一部のレーザー光をモニター用レーザー光として透過させるハーフミラーを設けるとともに前記ハーフミラーを透過したモニター用レーザー光が照射される位置に入射されるモニター用レーザー光の全てを反射させる反射ミラーを設け、該反射ミラーにて反射されるモニター用レーザー光を前記光検出器に設けられているモニター用受光部に導くようにしたことを特徴とする請求項１または請求項３に記載の光ピックアップ装置。
【請求項６】
反射ミラーにて反射されるモニター用レーザー光を直接モニター用受光部に導くようにしたことを特徴とする請求項５に記載の光ピックアップ装置。
【請求項７】
反射ミラーにて反射されるモニター用レーザー光をハーフミラーを介してモニター用受光部に導くようにしたことを特徴とする請求項５に記載の光ピックアップ装置。
【請求項８】
反射ミラーにて反射されるモニター用レーザー光をスリットを介してモニター用受光部に導くようにしたことを特徴とする請求項６または請求項７に記載の光ピックアップ装置。
【発明の詳細な説明】
【技術分野】
【０００１】
本発明は、光ディスクに記録されている信号の読み出し動作や光ディスクに信号の記録動作をレーザー光によって行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
信号記録層に記録されている信号の光ピックアップ装置による読み出し動作は、レーザーダイオードから放射されるレーザー光を信号記録層に照射させ、該信号記録層から反射されるレーザー光の変化を光検出器によって検出することによって行われている。
【０００４】
レーザー光によって信号記録層に記録されている信号を読み出すためには、レーザー光を信号記録層に集光させるフォーカシング制御動作及び信号記録層に渦巻き状に設けられている信号トラックにレーザー光を追従させるトラッキング制御動作を正確に行う必要がある。
【０００５】
また、最近では、信号記録層が１層ではなく複数、例えば２つの層が設けられている２層式の光ディスクが製品化されており、斯かる複数の信号記録層が設けられている光ディスクの各信号記録層に記録されている信号の読み出し動作を行うことが出来る光ピックアップ装置も製品化されている。
【０００６】
光ディスクに信号を記録する動作に使用されるレーザー光の出力は、光ディスクに記録されている信号の読み出し動作に使用されるレーザー光の出力に比較して格段に大きく、且つレーザー光の出力を精度良く設定する必要があるので、レーザー出力を自動的に制御する自動制御回路を備えている。
【０００７】
レーザー出力を制御する方法として一般的にはレーザー光のレベルをモニターするフロントモニターダイオードと呼ばれる光検出器を設け、該光検出器から得られるモニター信号を使用してレーザー光を生成放射するレーザーダイオードに供給される駆動信号のレベルを制御する方法が採用されている。斯かるレーザーダイオードから放射されるレーザー光の出力を制御するためのモニター信号を得るフロントモニター用光検出器が組み込まれた光ピックアップ装置が多く見られる（特許文献１参照。）。
【先行技術文献】
【特許文献】
【０００８】
【特許文献１】特開２０１０−１８２３８１号公報
【発明の概要】
【発明が解決しようとする課題】
【０００９】
図４はＤＶＤ規格にて規定されている光ディスクＤの信号記録層に記録されている信号を読み出すように構成された光ピックアップ装置の光学構成図であり、同図を参照にして従来の光ピックアップ装置について説明する。
【００１０】
図４において、１は例えば波長が６５５ｎｍの赤色光であるレーザー光を放射するレーザーダイオード、２は前記レーザーダイオード１から放射されるレーザー光が入射される回折格子であり、レーザー光を０次光であるメインビーム、＋１次光及び−１次光である２つのサブビームに分離する回折格子部２ａと入射されるレーザー光をＳ方向の直線偏光光に変換する１／２波長板２ｂとより構成されている。
【００１１】
３は前記回折格子２を透過したレーザー光が入射されるハーフミラーであり、Ｓ偏光光に変換されたレーザー光の多くを信号用レーザー光として反射させるとともに一部のレーザー光をモニター用レーザー光として透過させ、且つＰ方向に偏光されたレーザー光を透過させるように構成されている。４は前記レーザーダイオード１から放射されたレーザー光の中の前記ハーフミラー３を透過したモニター用レーザー光が照射される位置に設けられているモニター用光検出器であり、その検出出力は前記レーザーダイオード１から放射されるレーザー光の出力を制御するために使用される。
【００１２】
５は前記ハーフミラー３にて反射された信号用レーザー光が入射される位置に設けられている１／４波長板であり、入射されるレーザー光を直線偏光光から円偏光光に、また反対に円偏光光から直線偏光光に変換する作用を成すものである。６は前記１／４波長板５を透過した信号用レーザー光が入射されるとともに入射されるレーザー光を平行光に変換するコリメートレンズ、７は前記コリメートレンズ６にて平行光に変換された信号用レーザー光が入射される対物レンズであり、光ディスクＤに設けられている信号記録層Ｌにレーザー光を集光させる作用を成すものである。
【００１３】
斯かる構成において、前記レーザーダイオード１から放射されたレーザー光は、回折格子２、ハーフミラー３、１／４波長板５及びコリメートレンズ６を介して対物レンズ７に入射された後、該対物レンズ７の集光動作によって光ディスクＤの信号記録層Ｌにレーザースポットとして照射されるが、該信号記録層Ｌに照射されたレーザー光は戻り光として対物レンズ７側へ反射されることになる。
【００１４】
光ディスクＤの信号記録層Ｌから反射された戻り光は、対物レンズ７、コリメートレンズ６及び１／４波長板５を通してハーフミラー３に入射される。このようにしてハーフミラー３に入射される戻り光は、前記１／４波長板５による位相変更動作によってＰ方向の直線偏光光に変更されている。従って、斯かる戻り光は前記ハーフミラー３にて反射されることはなく、制御用レーザー光として該ハーフミラー３を透過することになる。
【００１５】
８は前記ハーフミラー３を透過した制御用レーザー光がセンサーレンズ(図示せず)等の集光動作によって照射されるＰＤＩＣと呼ばれる光検出器であり、図３に示すような４分割センサーより構成される制御信号用受光部が設けられている。前記光検出器８に組み込まれている制御信号用受光部は、メインビームの照射動作によって光ディスクＤの信号記録層Ｌに記録されている信号の読み出し動作に伴う信号生成動作及び非点収差法によるフォーカス制御動作を行うためのフォーカスエラー信号の生成動作、そして２つのサブビームの照射動作によってトラッキング制御動作を行うためのトラッキングエラー信号の生成動作を行うように構成されている。
【００１６】
前記光検出器８に設けられている制御信号用受光部は、例えば図３に示すように０次光であるメインビームＭが照射されるとともに信号読み出し動作やフォーカシング制御動作に使用されるメインビーム用受光部ＭＤ、＋1次光である先行サブビームＳ１が照射されるとともにトラッキング制御動作に使用される先行サブビーム用受光部ＳＤ１及び−1次光である後行サブビームＳ２が照射されるとともにトラッキング制御動作に使用される後行サブビーム用受光部ＳＤ２にて構成されている。
【００１７】
光検出器８に設けられている制御信号用受光部は、前述したように構成されており、斯かる制御信号受光部から得られる信号に基づいて生成されるフォーカスエラー信号及びトラッキングエラー信号を利用することによって光ピックアップ装置におけるフォーカス制御動作及びトラッキング制御動作を行うように構成されている。
【００１８】
また、レーザーダイオード１から放射されるレーザー光は、前述したように回折格子２及びハーフミラー３を通してその一部のレーザー光がモニター用レーザー光としてモニター用光検出器４に照射されるので、レーザーダイオード１から放射されるレーザー光の出力レベルをモニターすることが出来る。従って、前記モニター用光検出器４から得られる信号、即ちモニター信号をレーザーダイオード１に駆動信号を供給するべく設けられている駆動回路に帰還させることによってレーザー出力を所望の値になるように制御することが出来る。
【００１９】
従来の光ピックアップ装置は、レーザーの出力を制御するために使用されるフロントモニターと呼ばれる光検出素子を独立させて別個に設けていたので高価になるという問題がある。また、レーザーダイオードから放射されるレーザー光の出力レベルを正確に検出する必要があるので、モニター用レーザー光の照射位置を正確にする必要があるので、光検出素子の取付位置の精度を上げる必要があり、組立作業を容易に行えないという問題がある。
【００２０】
本発明は、斯かる問題を解決することが出来る光ピックアップ装置を提供しようとするものである。
【課題を解決するための手段】
【００２１】
本発明は、レーザーダイオードから放射されるレーザー光を光ディスクに設けられている信号記録層に集光させる対物レンズと、前記信号記録層から反射される戻り光が照射されるとともにフォーカスエラー信号等の制御信号を生成する制御信号用受光部が設けられている光検出器を備え、前記光検出器内にレーザーダイオードから放射されるレーザー光の出力を制御するために使用されるモニター信号を生成するモニター信号用受光部を設けたことを特徴とするものである。
【００２２】
また、本発明は、モニター信号用受光部を戻り光が照射されない位置に配置したことを特徴とするものである。
【００２３】
そして、本発明は、レーザーダイオードから放射されるレーザー光を光ディスクに設けられている複数の信号記録層に集光させる対物レンズと、前記信号記録層から反射される戻り光が照射されるとともにフォーカスエラー信号等の制御信号を生成する制御信号用受光部が設けられている光検出器を備え、前記光検出器内にレーザーダイオードから放射されるレーザー光の出力を制御するために使用されるモニター信号を生成するモニター信号用受光部を設けたことを特徴とするものである。
【００２４】
また、本発明は、モニター信号用受光部を戻り光に含まれる迷光が照射されない位置に配置したことを特徴とするものである。
【００２５】
そして、本発明は、レーザーダイオードから放射されるレーザー光が入射される位置に対物レンズ方向へレーザー光を導き、且つ一部のレーザー光をモニター用レーザー光として透過させるハーフミラーを設けるとともに前記ハーフミラーを透過したモニター用レーザー光が照射される位置に入射されるモニター用レーザー光の全てを反射させる反射ミラーを設け、該反射ミラーにて反射されるモニター用レーザー光を前記光検出器に設けられているモニター用受光部に導くようにしたことを特徴とするものである。
【００２６】
また、本発明は、反射ミラーにて反射されるモニター用レーザー光を直接モニター用受光部に導くようにしたことを特徴とするものである。
【００２７】
そして、本発明は、反射ミラーにて反射されるモニター用レーザー光をハーフミラーを介してモニター用受光部に導くようにしたことを特徴とするものである。
【００２８】
更に、本発明は、反射ミラーにて反射されるモニター用レーザー光をスリットを介してモニター用受光部に導くようにしたことを特徴とするものである。
【発明の効果】
【００２９】
本発明の光ピックアップ装置は、フォーカスエラー信号等の制御信号を生成するべく制御信号用受光部が設けられている光検出器内にレーザーダイオードから放射されるレーザー光の出力を制御するために使用されるモニター信号を生成するモニター信号用受光部を設けたので、即ち、フロントモニターと呼ばれるモニター用の光検出器を別個に設ける必要がないので、安価にて製造することが出来るだけでなく組立作業が簡単になるという利点を有している。
【図面の簡単な説明】
【００３０】
【図１】本発明に係る光ピックアップ装置の実施例１を示す概略図である。
【図２】本発明に係る光ピックアップ装置の実施例２を示す概略図である。
【図３】本発明に係る光検出器の一実施例を説明するための図である。
【図４】従来の光ピックアップ装置を示す概略図である。
【発明を実施するための形態】
【００３１】
光ディスクに設けられている信号記録層にレーザー光を集光させて信号の読み取り動作や信号の記録動作を行うように構成された光ピックアップ装置において、レーザーの出力を制御するために使用されるモニター信号を得るために適した光ピックアップ装置を提供する。
【実施例１】
【００３２】
図１は本発明の光ピックアップ装置の実施例１を示す概略図であり、図４に示した従来の光ピックアップ装置と同一の部材には同一の番号を付している。
【００３３】
同図において、９はハーフミラー３を透過したモニター用レーザー光が照射される位置に設けられているとともに入射されるモニター用レーザー光の全てをハーフミラー３の方向へ反射させる反射ミラーである。斯かる構成において、前記反射ミラー９にて反射されたモニター用レーザー光は前記ハーフミラー３の裏面３ａに入射されるが、例えばその５０％のレーザー光が光検出器８方向へ反射されるように該ハーフミラー３は構成されている。
【００３４】
１０は前記ハーフミラー３の裏面３ａにて反射されたモニター用レーザー光が照射されるとともに前記光検出器８内に設けられるモニター信号用受光部であり、前記光検出器８内に設けられている制御信号用受光部と異なる位置に配置されている。即ち、前記モニター信号用受光部１０は、光ディスクＤの信号記録層Ｌから反射される戻り光である制御用レーザー光が照射されない位置に配置される。
【００３５】
１１は前記ハーフミラー３の裏面３ａから反射されるモニター用レーザー光の光路内に設けられているスリットであり、前記モニター信号用受光部１０にモニター用レーザー光を効率良く導くとともにモニター用レーザー光以外のレーザー光が入射されることを防止する作用を成すものである。
【００３６】
斯かる構成によれば、レーザーダイオード１から放射されるとともにハーフミラー３をモニター用レーザー光として透過するレーザー光が、反射ミラー９及びハーフミラー３の裏面３ａにて反射された後スリット１１を通してモニター信号用受光部１０に照射されることになる。従って、前記モニター信号用受光部１０によってレーザーダイオード１から放射されるレーザー光の出力に応じた信号、即ちモニター信号を得ることが出来るので、斯かるモニター信号を利用することによってレーザーダイオード１から放射されるレーザー光の出力を所望のレベルになるように制御することが出来る。
【実施例２】
【００３７】
図２は本発明の光ピックアップ装置の実施例２を示す概略図であり、図１に示した実施例１の光ピックアップ装置と同一の部材には同一の番号を付している。
【００３８】
図２に示した実施例２は、ハーフミラー３を透過したモニター用レーザー光が照射される位置に設けられている反射ミラー９によってモニター用レーザー光を光検出器８内に設けられているモニター信号用受光部１０に直接照射させるべく反射させるように構成されている。
【００３９】
斯かる構成においてもスリット１１によって前記モニター信号用受光部１０にモニター用レーザー光を効率良く導くとともにモニター用レーザー光以外のレーザー光が入射されることを防止する作用を成すものである。
【００４０】
実施例２は反射ミラー９によってモニター用レーザー光をモニター信号用受光部１０に直接導くように構成されているので、実施例１と比較してモニター信号のレベルを大きくすることが出来る、即ちレーザー光を効率良くモニター信号用受光部１０に導くことが出来るという利点を有している。
【産業上の利用可能性】
【００４１】
実施例１及び実施例２の説明では、信号記録層が１つの光ディスクＤについて説明したが、複数の信号記録層が設けられている光ディスクに記録されている信号の読み出し動作及び信号の記録動作を行うことが出来るように構成された光ピックアップ装置では、迷光、即ち信号の読み出し動作に使用されている信号記録層に隣接する信号記録層から反射される戻り光による影響を受けるため、モニター信号用受光部１０は迷光が照射されない位置に配置されることになる。
【００４２】
図３において、破線Ｐで示す範囲内が迷光が照射される部分であり、モニター信号用受光部１０は図示したように迷光が照射される範囲外に配置されることになる。このように配置することによって、複数の信号記録層が設けられている光ディスクに信号の記録動作を行うことが出来るように構成された光ピックアップ装置に実施することが出来る。
【符号の説明】
【００４３】
１      レーザーダイオード
３      ハーフミラー
６      コリメートレンズ
７      対物レンズ
８      光検出器
９      反射ミラー
１０    モニター信号用受光部
１１    スリット
Ｄ      光ディスク
【図１】
2012252737.tif 000003
【図２】
2012252737.tif 000004
【図３】
2012252737.tif 000005
【図４】
2012252737.tif 000006